(57)【要約】  【課題】横置き又は縦置き等の任意の設置形態で使用可能としたロールシート収容製品を提供する。  【解決手段】防水加工を施した紙箱２内に、巻芯無しの状態で中空ロール状に巻き取られたロールシート３を収容する。前記紙箱２は、横置きした状態の上面及び縦置きした状態の上面に夫々、引出し口形成部を有する紙箱構造とし、かつ前記ロールシート３は、中心の中空部３Ａにおいて、巻際紙端部３ａが中空部内で壁面に仮着されておらず自由な状態となっているものとする。【選択図】図１
2005280806.tif 000002
【特許請求の範囲】
【請求項１】
紙箱内に巻芯無しの状態で中空ロール状に巻き取られたロールシートを収容するとともに、前記紙箱は縦置きした状態の上面、或いは横置きした状態の上面及び縦置きした状態の上面に夫々、引出し口形成部を有する構造としたことを特徴とするロールシート収容製品。
【請求項２】
前記ロールシートは、中心の中空部において、巻際紙端部が中空部内の壁面に仮着されておらず自由な状態となっている請求項１記載のロールシート収容製品。
【請求項３】
前記ロールシートの中空部径は２５mmφ以上５０mmφ以下としてある請求項１〜２いずれかに記載のロールシート収容製品。
【請求項４】
前記ロールシートは単層ペーパーである請求項１〜３いずれかに記載のロールシート収容製品。
【請求項５】
前記紙箱には防水加工を施してある請求項１〜４いずれかに記載のロールシート収容製品。
【発明の詳細な説明】
【技術分野】
【０００１】
本発明は、紙箱内にロール状に巻き取られたキッチンペーパー等のロールシートを収容したロールシート収容製品に関する。
【背景技術】
【０００２】
従来より、台所や調理場などにおいて、キッチンペーパーなどの衛生用紙が多く使用されている。このキッチンペーパーの多くは、ロール状に巻かれた状態で提供されており、ユーザーが使用する場合には、別途購入した固定式ホルダーを壁に固定し、これにロールシートを取付け所要量だけ巻き出しながら使用するか、例えば下記特許文献１〜３に示されるように、紙箱内に収容した状態で提供されたものを購入し、所要量づつ紙箱から巻き出して使用するようにしている。
【特許文献１】実開平６−５９２２４号公報
【特許文献２】特開平１０−８６９３７号公報
【特許文献３】特開平１０−９５４２４号公報
【発明の開示】
【発明が解決しようとする課題】
【０００３】
しかしながら、前記固定式ホルダーに取り付けて使用する場合には、持ち運びができないため、使用場所が限定されてしまい不便であるなどの問題があり、紙箱内に収容されたロールシート収容製品の場合には、自由に持ち運びができるため使用場所の限定はないが、下記のような問題があった。
【０００４】
(1)紙箱に収容された製品の場合には、横長の立方体形状を成しており、置き場の少ないキッチンスペースの中で、多くのスペースを占有してしまうため、置き場に困ることがある。
【０００５】
(2)ロールシートが紙製の巻芯に巻かれているため、巻芯コストが余計に掛かるとともに、使用後に前記巻芯が残るため廃棄しなければならない。
【０００６】
(3)キッチンペーパーは主に台所や調理場で使用されるものであるため、紙箱が水に濡れる可能性が多く自由に置き場所を選ぶことができない。また、紙箱に浸透した水がキッチンペーパーに吸収されると使用に耐えないものとなる。
【０００７】
そこで本発明の主たる課題は、場所を取らず、或いは横置き又は縦置き等の任意の設置形態で使用可能とすること、巻芯を残さず使用可能とすること、水に濡れても使用に耐え、置き場所を選ばず使い勝手の良い任意の場所に設置できる仕様とすること等の課題を解決したロールシート収容製品を提供することにある。
【課題を解決するための手段】
【０００８】
前記課題を解決するために請求項１に係る本発明として、紙箱内に巻芯無しの状態で中空ロール状に巻き取られたロールシートを収容するとともに、前記紙箱は縦置きした状態の上面、或いは横置きした状態の上面及び縦置きした状態の上面に夫々、引出し口形成部を有する構造としたことを特徴とするロールシート収容製品が提供される。
【０００９】
上記請求項１記載の本発明においては、紙箱内に巻芯無しの状態で中空ロール状に巻き取られたロールシートを収容し、かつ紙箱を縦置きした状態の上面、或いは横置きした状態の上面及び縦置きした状態の上面に夫々、引出し口形成部を有する紙箱構造とした。従って、紙箱を縦置きした状態の上面に引出し口形成部を有するため、紙箱をキッチン等に縦置きの状態で設置し、上面の引出し口から指を挿入してロールシートの中空部側から順次ロールシートを引き出して使用することが可能となる。特に、横置きした状態の上面及び縦置きした状態の上面に夫々、引出し口形成部を有するタイプの場合には、ユーザーが自由に横置きか縦置きかを選定し、任意の設置形態で使用することができる。また、ロールシートは巻芯無しタイプとしたため、巻芯を残さず使用することができる。
【００１０】
請求項２に係る本発明として、前記ロールシートは、中心の中空部において、巻際紙端部が中空部内の壁面に仮着されておらず自由な状態となっている請求項１記載のロールシート収容製品が提供される。
【００１１】
上記請求項２記載の本発明においては、巻際紙端部を仮着せずにフリーな状態としてある。従って、使用開始時に、紙箱上面の引出し口から指を挿入し、前記巻際紙端部を摘んで容易に引き出すことができるようになる。
【００１２】
請求項３に係る本発明として、前記ロールシートの中空部径は２５mmφ以上５０mmφ以下としてある請求項１〜２いずれかに記載のロールシート収容製品が提供される。
【００１３】
前記ロールシートの中空部径は指を挿入し易いように、２５mmφ以上の径とするのが望ましく、かつ巻き長が短く成り過ぎないように５０mmφ以下とするのが望ましい。
【００１４】
請求項４に係る本発明として、前記ロールシートは単層ペーパーである請求項１〜３いずれかに記載のロールシート収容製品が提供される。
【００１５】
請求項５に係る本発明として、前記紙箱には防水加工を施してある請求項１〜４いずれかに記載のロールシート収容製品が提供される。
【００１６】
上記請求項５記載の本発明においては、防水加工を施した紙箱内に前記ロールシートを収容したため、水に濡れる可能性の高い場所であっても設置することができ、置き場所を選ばず自由に設置することが可能となる。
【発明の効果】
【００１７】
以上詳説のとおり本発明によれば、スペースを取らないように縦置き状態での設置が可能になる。また、横置きした状態の上面及び縦置きした状態の上面に夫々、引出し口形成部を有する紙箱構造とした場合には、ユーザーが自由に横置きか縦置きかを選定することができるようになる。また、巻芯を残さず最後まで使用可能となる。
【００１８】
さらに、紙箱に防水処理が成されているため、水に濡れても使用に耐えることができ、置き場所を選ばず使い勝手の良い任意の場所に設置できるようになるなどの効果が得られるようになる。
【発明を実施するための最良の形態】
【００１９】
以下、本発明の実施の形態について図面を参照しながら詳述する。
図１は本発明に係るロールシート収納製品１の斜視図であり、図２は紙箱２の斜視図、図３ロールシート３の端面図である。
【００２０】
前記ロールシート収納製品１は、紙箱２内に巻芯無しの状態で中空ロール状に巻き取られたロールシート３を収容したものである。
【００２１】
１枚の紙から紙箱２を組立てる方法として、従来より公知の種々の方法を採用することができるが、本紙箱２においては、詳細には図２に示されるように、横置きした状態の上面と、縦置きした状態の上面とに夫々、引出し口形成部を有する紙箱構造とすることにより、横置き又は縦置き等の任意の設置形態で使用することができるようになっている。
【００２２】
図示例では、前記横置き状態で上面に形成される引出し口形成部としては、天面板２Ａの一側端から正面板２Ｂにかけて延長される突出片２ａに水平方向に沿って平行に２条のミシン目２ｂ、２ｂを形成するとともに、該ミシン目２ｂ、２ｂよりも先端側部分を正面板に接着剤等により固定した構造とし、前記縦置き状態で上面に形成される引出し口形成部としては、端面板２Ｃに円形状にミシン目２ｃを形成した構造としている。なお、前記紙箱２は、例えば端面板２Ｃの少なくとも一方が開閉自在とされ、ロールシート３の詰め替えが可能となっていることが望ましい。
【００２３】
前記紙箱２には、水に濡れても使用に耐えるように、防水加工を施すことが望ましい。前記紙箱２の防水加工としては、例えば紙層に、被膜形成能を有する高分子化合物、例えばポリエチレン、ポリプロピレン、ポリ塩化ビニル、ポリ塩化ビニリデンなどの重合体、或いはエチレン及び／又はポリプロピレンとポリ塩化ビニル、ポリ塩化ビニリデンなどとを共重合したコポリマーなどのポリオレフィン系ポリマーを塗工或いはラミネートする方法などを挙げることができる。また、前記被膜形成能を有する高分子化合物の代わりに、アルミニウムなどの金属薄膜を使用して防水性を付与することもできる。
【００２４】
一方、ロールシート３は、図１に示されるように、巻芯無しの状態で中心部に中空孔を有する中空ロール形状に巻き取られたペーパーであり、図３に示されるように、中空部３Ａにおいては、巻際紙端部３ａが中空部内壁面に仮着されておらず自由な状態となっている。ここで、前記中空部３Ａの径は、指の挿入し易さを考慮して、２５mmφ以上５０mmφ以下、好ましくは３５mmφ以上４５mmφ以下とするのが望ましい。
【００２５】
シート３を無芯ロール状に形成する方法としては、無芯トイレットペーパーで採用されている方法をそのまま採用することができる。具体的には、図４に示されるように、外径が拡縮自在とされる金属製巻軸１０を２本の平行なロール１１，１１の中間上部に配設するとともに、前記巻軸１０の上に加圧ロール１２（ライディングロール）を設け、更に巻軸１０に向けてスプレーノズル１３を設けた巻取り設備において、シート３を巻軸１０に供給するとともに、ロール１１，１１を夫々所定方向に回転させることにより、巻軸１０の外周にロールシート３が加圧ロール１２で加圧されながら固く巻き付けられる。
【００２６】
この際、巻き付け開始時に、図５に示されるように、紙質や坪量に応じて、シート３の巻際紙端３ａから約０．０３〜３．４ｍの位置（Ｌ）からシート３にスプレーノズル１３から接着剤水溶液を噴霧するようにする。噴霧された接着剤水溶液は、巻き付け状態で内側と外側に浸透拡散されてロールシート同士が仮着され巻芯部を形成するが、巻際紙端部３ａまでは接着剤水溶液は浸透拡散されず、前記巻際紙端部３ａは中空部内壁面に仮着されず自由な状態となる。なお、ロールシート３の外周紙端部においては、紙端部を糊付けする際、摘み部の長さを３０mm以上確保した状態で糊付けするのが望ましい。
【００２７】
前記シート３が所定長だけ巻き付けられたならば、巻軸１０の外径を収縮させて抜き取るようにする。ところで、前記接着剤水溶液としては、例えばポリビニルアルコール（ＰＶＡ）混入の低濃度水溶液、カルボキシメチルセルロース（ＣＭＣ）混入の低濃度水溶液、ローション混入の低濃度水溶液、シリコン混入の低濃度水溶液などの他、単に水を用いてもよい。なお、前記シート３は、巻き長を長くできる点、縦置き状態での取り出しやすさの点から、２枚重ねではなく、単層の１枚シートとするのが望ましい。
【００２８】
前述したロールシート収容製品１の場合には、仮に図１に示されるように、横置き状態で使用する場合には、前記２条のミシン目２ｂ、２ｂで挟まれた帯状紙片２ｄをミシン目２ｂ、２ｂに沿ってちぎり取ることにより天面板２Ａが開閉可能となり、収納されたロールシート３から紙を所要長だけ巻き出して使用する。
【００２９】
また、図６に示されるように、縦置き状態で使用する場合には、円形状ミシン目２ｃの一部から突出するように形成された摘み部２ｅを切り倒し、形成された開孔部に指を挿入して円形ミシン目２ｃに沿ってちぎり取り円形状の引出し口を形成した後、ロールシート３の中空部３Ａ内に指を挿入し、巻際紙端部３ａを摘んで引き出すようにする。
【００３０】
〔他の形態例〕
(1)上記形態例では、紙箱２において、横置きした状態の上面と、縦置きした状態の上面とに夫々、引出し口形成部を有する構造としたが、縦置きに限定した商品の場合には縦置きした状態の上面にのみ引出し口形成部を有する紙箱構造とすればよい。
(2)紙箱２の断面形状は、矩形状の他、五角形、六角形などの多角形状とすることでもよい。
(3)紙箱２の引出し口部には、切断用の鋸歯状のペーパー切断部を設けるようにしてもよい。
【図面の簡単な説明】
【００３１】
【図１】本発明に係るロールシート収納製品１の斜視図である。
【図２】紙箱２の斜視図である。
【図３】ロールシート３の端面図である。
【図４】無芯ロールの形成方法を説明するための図である。
【図５】ロールシート３の巻際紙端部への接着剤水溶液の塗布要領を示す要部平面図である。
【図６】縦置き状態でのペーパー引出し要領を示す斜視図である。
【符号の説明】
【００３２】
１…ロールシート収容製品、２…紙箱、３…ロールシート（シート）、３ａ…巻際紙端部、２ｂ・２ｃ…ミシン目
【図１】
2005280806.tif 000003
【図２】
2005280806.tif 000004
【図３】
2005280806.tif 000005
【図４】
2005280806.tif 000006
【図５】
2005280806.tif 000007
【図６】
2005280806.tif 000008